(57)【要約】【課題】費用を押さえ、且つ、手軽に仮装をすることができ、さらに、パーティー参加者をあっと驚かすことのできるコスチュームを提供する。【解決手段】  帽子部と髭部を有し、腕部110と首部120及び胴部とを含む上体部100100と脚部を含む下体部200とが一体となって構成され、サンタクロースの外観を呈する仮装用衣装において、前記首部120と腕部110における手首部及び脚部における足首部220とに弾性体が内包され、ファンを有するエアポンプが設置され、前記首部120は、ファスナーが設置され左襟部と右襟部とに分割可能とされ、前記左襟部と右襟部とに面ファスナーを取り付け、エアポンプのスイッチをONとすると空気により衣装を膨らませることのできる、仮装用衣装である。【選択図】  図１
0003111958.tif 000002
【実用新案登録請求の範囲】
【請求項１】
胴部と腕部とを少なくとも有する仮装用衣装であって、胴部上端に形成される首部及び腕部と胴部下端とが気密性のある構造とされ、
衣装の表面に吸気孔を有し且つ衣装の裏面に排気孔を有するエアポンプが上体部に設けられることを特徴とする、仮装用衣装。
【請求項２】
腕部は、手首または肘までの長さとして腕部の先端が気密性のある構造とされていることを特徴とする、請求項１記載の仮装用衣装。
【請求項３】
胴部の下端は腰または太股までの長さとして、胴部の下端が気密性のある構造とされていることを特徴とする、請求項１または２記載の仮装用衣装。
【請求項４】
腕部と首部及び胴部とを含む上体部と脚部を含む下体部とが一体となって構成される仮装用衣装において、
前記首部、及び、腕部の先端や脚部の先端が気密性のある構造とされ、
衣装の表面に吸気孔を有し且つ衣装の裏面に排気孔を有するエアポンプが上体部に設けられることを特徴とする、仮装用衣装。
【請求項５】
腕部は手首または肘までの長さとし、且つ、脚部は足首または膝までの長さとし、前記及び脚部の先端が気密性のある構造とされていることを特徴とする、請求項４記載の仮装用衣装。
【請求項６】
前記首部及び各端部の気密構造は、環状とされる弾性体を内包していることを特徴とする、請求項１乃至５の何れかに記載の仮装用衣装。
【請求項７】
前記首部は、ファスナーが設置され左襟部と右襟部とに分割可能とされ、前記左襟部と右襟部の上端首部に面ファスナーを取り付けたことを特徴とする、請求項１乃至６の何れかに記載の仮装用衣装。
【請求項８】
前記エアポンプは、生地に設置した止具に設置し、ファンを内部に有することを特徴とする、請求項１乃至７の何れかに記載の仮装用衣装。
【請求項９】
前記仮装用衣装の外観はサンタクロースとされ、帽子部と髭部とを備えることを特徴とする、請求項４乃至８の何れかに記載の仮装用衣装。
【考案の詳細な説明】
【技術分野】
【０００１】
本考案は、エアポンプを用いて膨らませることのできる仮装用衣装に関する。
【背景技術】
【０００２】
今日、空気を利用した形象体としては、例えば特許文献１記載のものがある。この形象体は、ビニールなどからなる形象体であり、使用しない時は折畳むことができ、使用時にはエアーエアポンプにより空気を注入して膨張させ、形象体を形成するものである。
また、キャラクターなどの外観を模した着ぐるみは、一般に遊園地やイベントなどに用いるため、その構造を堅固な物とし、非常に高価なものが多い。一方で、パーティー用の仮装衣装などは、一般の衣服とさほど異なることのない構造、例えば魔女やドラキュラといったキャラクターの衣服を真似たようなものが多い。
【特許文献１】特開２０００−３４２８５９
【考案の開示】
【考案が解決しようとする課題】
【０００３】
前述のように、パレード用の着ぐるみは価格が高く、また、レンタルなどをしても、その構造が堅固で着ぐるみ自体が重く、パーティー参加者を気軽に驚かすことのできるものではなかった。
一方で、パーティー用の仮装衣装などは、一般の衣服とさほど異なることのない構造であるため、パーティー参加者を驚かす程度に至るものではなかった。
そこで本考案により、費用を押さえ、且つ、仮装者に負担がかかることなく手軽に仮装をすることができ、さらに、パーティー参加者を楽しませたり、驚かせたりすることのできるコスチュームを提供する。
【課題を解決するための手段】
【０００４】
請求項１記載の考案は、胴部と腕部とを少なくとも有する仮装用衣装であって、胴部上端に形成される首部及び腕部と胴部下端とが気密性のある構造とされ、
衣装の表面に吸気孔を有し且つ衣装の裏面に排気孔を有するエアポンプが上体部に設けられることを特徴とする。
これにより、エアポンプにより衣装内部に外気を送り込み衣装内部の空圧を高めることで、衣装を膨らませることができる。
【０００５】
請求項２記載の考案は、腕部は、手首または肘までの長さとして腕部の先端が気密性のある構造とされていることを特徴とする。
これにより、腕部の先端まで膨らませることができる。
【０００６】
請求項３記載の考案は、胴部の下端は腰または太股までの長さとして、胴部の下端が気密性のある構造とされていることを特徴とする。
【０００７】
請求項４記載の考案は、腕部と首部及び胴部とを含む上体部と脚部を含む下体部とが一体となって構成される仮装用衣装において、前記首部、及び、腕部の先端や脚部の先端が気密性のある構造とされ、衣装の表面に吸気孔を有し且つ衣装の裏面に排気孔を有するエアポンプが上体部に設けられることを特徴とする。
これにより、エアポンプにより衣装内部に外気を送り込み衣装内部の空圧を高めることで、衣装を膨らませることができる。
【０００８】
請求項５記載の考案は、腕部は手首または肘までの長さとし、且つ、脚部は足首または膝までの長さとし、前記及び脚部の先端が気密性のある構造とされていることを特徴とする。
【０００９】
請求項６記載の考案は、前記首部及び各端部の気密構造は、環状とされる弾性体を内包していることを特徴とする。
これにより、首部及び各端部を仮装者と密着させることができ、衣装の気密性を確保することができる。
【００１０】
請求項７記載の考案は、前記首部は、ファスナーが設置され左襟部と右襟部とに分割可能とされ、前記左襟部と右襟部の上端首部に面ファスナーを取り付けたことを特徴とする。
これにより、首部などと身体との密着性を更に高めることや、もしくは緩めることなどの微調整を容易とすることができる。
【００１１】
請求項８記載の考案は、前記エアポンプは、生地に設置した止具に設置し、ファンを内部に有することを特徴とする。
【００１２】
請求項９記載の考案は、前記仮装用衣装の外観はサンタクロースとされ、帽子部と髭部とを備えることを特徴とする。
【考案の効果】
【００１３】
請求項１記載の考案によれば、空気を用いて衣装を膨張させることで、安価で手軽に観察者を驚かすことのできる仮装をすることができ、また、空気で膨らませていることから、仮装者が物にぶつかっても壊すことが無く、また、他人に衝突しても安全であり、更に、仮装者が転倒などした場合にも、この空気がクッションとなるため安全性を高めることができる。
【００１４】
請求項２記載の考案によれば、胴部を膨らませ、且つ、腕部の先端まで膨らませることのできる衣装により、観察者を驚かせることができる。
【００１５】
請求項３記載の考案によれば、仮装者の下体を自由とすることで、仮装者の移動の自由をより一層確保することができる。
【００１６】
請求項４記載の考案によれば、仮装者の顔や手足を露出させているため、会話や飲食、握手などの通常の動作を自由に行うことができる。
【００１７】
請求項５記載の考案によれば、胴部や腕部、脚部を膨らませ、観察者を驚かせることができる。
【００１８】
請求項６記載の考案によれば、単純な構造によって衣装の気密性を確保することができ、製造コストを下げ、且つ、手軽に仮装を楽しむことができる。
【００１９】
請求項７記載の考案によれば、仮装者の衣装の着脱を容易とし、また、首の密着性を仮装者の体格に合わせて調整することができる。
【００２０】
請求項８記載の考案によれば、エアポンプの構造を単純なものとすることで、エアポンプの設計製造を容易とし、したがってエアポンプを用いて膨張させる仮装用衣装の設計製造を容易とすることができる。
【００２１】
請求項９記載の考案によれば、太ったサンタクロースの仮装を手軽に楽しむことができる。
【考案を実施するための最良の形態】
【００２２】
帽子部と髭部を有し、腕部と首部及び胴部とを含む上体部と脚部を含む下体部とが一体となって構成され、サンタクロースの外観を呈する仮装用衣装において、前記首部と腕部における手首部と脚部における足首部とに環状とされる弾性体が内包され、ファンを内部に有し、且つ、衣装の表面に吸気孔を有して衣装の裏面に排気孔を有するエアポンプが上体部の生地に設置した止具に係合固定され、前記首部は、ファスナーが設置され左襟部と右襟部とに分割可能とされて、前記左襟部と右襟部とに面ファスナーが取り付けられた仮装用衣装とするものである。
【実施例】
【００２３】
本考案に係る仮装用衣装は、図1に示すように、サンタクロースの衣装を模した外観とされ、上体部100と下体部200とが一体となって構成され、上体部100は、胴部の両脇から側方に向かって設けられる腕部110と、上体部100の上方に首部120が設けられ、仮装者の頭部を露出するために人間の首の直径程度に開口され、また、下体部200は、下方に向かって脚部210が設けられる。
前記腕部110の先端は、袖部115として開口され、仮装者の手首より先を露出することができ、同様にして、下体部200の脚部先端も裾部223として開口とされ、仮装者の足首より先を露出することができる。
この仮装用衣装は、サンタクロースの衣装としての外観を表現するために、その生地は赤地とされ、白地のラインを首部120周りと上体部100の正面中心付近に設け、また、腕部110の袖部115と上体部100の下端部、下体部200の裾部223とにもこの白地のラインを設ける。そして、上体部100の下方付近に、上体部100を拘束するように環状のベルトを設ける。
【００２４】
上体部100の背面部に、図２に示すように、エアポンプ300が設置されており、上体部100の前面に設置されるバッテリーボックス350から電源を供給することができ、このバッテリーボックス350に設けられたスイッチ353をONとすると、エアポンプ300を作動させることができる。
【００２５】
このエアポンプ300は、図３に示すように、衣装の生地に孔を設け、この孔にエアポンプ300を固定することができるようにし、且つ、衣装の生地を補強する為の止具320が取り付けられる。そして、ファン335を内部に設置して、排気孔333を有するエアポンプ本体330を衣装の裏面から止具320に係合し、衣装の表面側から吸気孔を有する蓋部310を嵌め込むことでエアポンプ300を構成する。
このエアポンプ300に電圧を印加すると、モータ等の動力機構によりファン335を回転させることができ、吸気孔313から外気を吸気し、衣装の裏面の排気孔333から排気して、衣装の内部の空圧を高め、これにより衣装を膨らませることができる。
【００２６】
上体部100の上部に設けられた首部120は、図４に示すように、前面部にファスナー123を設置しており、ファスナー123の開口により、左右の襟部に分割している。
また、首部120の縁部にゴムが内設され、仮装者の首にフィットさせることができる。仮装者によっては首の太さが異なるため、これに対応するために、前記ゴムによる締め付けを緩くすることができるものとし、左右の襟部に面ファスナー125を設置し、この面ファスナー125で締め付けを調整することで、仮装者の首に合わせた調整を行うことができるようにしている。そして、最後にファスナー123を締めることで、図５に示すように、首部120から内気が漏れないようにしている。
【００２７】
また、腕部110の先端である袖部115は、その内部に手首部113が形成され、この手首部113は、図６に示すように、その縁部にゴムが内設され、仮装者の手首にフィットするものである。これにより、手首部113から内気が漏れないものとすることができる。
この手首部113はその先端が絞られており、サンタの衣装の外観として好ましくないため、この手首部113の絞りを外部から見えないようにするために、環状の生地により手首部113を覆う袖部115を設けている。
【００２８】
また、脚部の先端である裾部223の内側に設けられた足首部220は、図７に示すように、その縁部にゴムが内設され、仮装者の足首にフィットするものである。これにより、足首部220から内気が漏れないものとすることができる。
この足首部220はその先端が絞られており、サンタの衣装の外観として好ましくないため、この足首部220の絞りを外部から見えないようにするために、環状の生地により足首部220を覆う裾部223を設けている。
【００２９】
この仮装用衣装は、図８に示すように、仮装者の首、足首、手首を露出することができ、且つ、気密性の高い衣装であり、上体部100に設置されたエアポンプ300により衣装内部に外気を送り込むことで、衣装を膨らませることができ、これにより、愉快な外観を演出することができ、観察者を驚かせると共に、パーティーなどの場を盛り上げることを可能とする。
そして、この仮想用衣装の着用者は、顔や手足を衣装から露出させているため、会話や飲食、握手などの通常の動作を自由に行うことができる。
【００３０】
また、この衣装は、空気で膨張させているため、仮装者が物にぶつかっても壊すことが無く、また、他人に衝突しても安全であり、更に、仮装者が転倒などした場合にも、この空気がクッションとなるため安全性を高めることができる。
この衣装を着用するには、まず着用者がその両足を衣装の下体部200に通して、次に着用者の両腕を、衣装の上体部100の腕部110に通し、上体部前面のファスナー123と面ファスナー125を閉じるようにする。これにより衣装を着用することができる。そして、バッテリーボックス350に設けられたスイッチ353をONとすることでエアポンプ300が動作し衣装を膨張させることで仮装をすることができる。
【００３１】
また、この衣装は、脱いだ場合には容易に折畳むことができ、従来の構造の堅固な仮装用衣装とは異なり小型化、軽量化が可能であり、収納、持ち運びを容易とすることができる。
【００３２】
そして、この衣装はサンタクロースの外観とされているため、身体に着用する衣装だけでなく、図９に示すように、頭に被る帽子部400と髭部410とを備えるものとしても良い。
この帽子部400は身体に着用する衣装とその材質は同じとされ、サンタクロースの帽子の外観とするために、その縁に環状の白い帯体が設けられ、また、帽子部の上部先端には白い球体が設置される。また、その縁部の両脇には面ファスナー403が設けられ、これにより髭部410と接着される。
髭部410は、サンタクロースの髭を模した外観とされ、その上部両端には面ファスナー413が設置される。
この髭部410の面ファスナー413と、前記帽子部400の縁部に設けられた面ファスナー403とが接着されることで、図８に示したように、髭部410と帽子部400とを一体とすることができる。これにより、着用者が帽子部400と髭部410とを着用する際に、帽子部400と髭部410とを、容易にその所定の位置へ着用することができる。
【００３３】
そして、この衣装の外観は、サンタクロースに限らず、廻しを付けた力士の身体を描く場合や、ドラえもんなどのキャラクターとしても良く、着るだけで太って見え、おおらかな仮装をして楽しむことができる。
【００３４】
また、上記実施例は腕部等を含む上体部と脚部を含む下体部とを一体とした仮装用衣装であるも、腕部を有しない衣装とすることもある。
この実施例は、図１０及び、図１１に示すように、ハロウィンのお化けかぼちゃを模した外観とされ、仮装者の太股や脚部と腕部の付け根から首までを覆う衣装本体500と腕部515から構成され、衣装本体の側方には肩部510から手首までの腕部515を設けている。
この腕部515の先端は、縁部にゴムを内接して手首にフィットするようにしている。
そして、本体の上方に首部520として仮装者の頭部を露出するために人間の首の直径程度の開口がされ、また、衣装の下方には太股部530として人間の太股の直径程度の開口を２つ設けている。
【００３５】
この首部520は、その縁部にゴムが内設され、また、ファスナーを設けて左右の襟に分け、面ファスナーが設けられることは前記実施例と同様であり、仮装者の首520にフィットさせて、この首部520から内気が漏れないものとすることができる。
また、太股部530の２つの開口は、その縁部にゴムが内設され、仮装者の太股にフィットするものであり、太股部530から内気が漏れないものとすることができる。
【００３６】
尚、腕部515の長さは手首まででなく肘までとすることもあり、本体の下方端を太股まででなく、膝までの長さとすることや短くして腰までとすることもある
更に、本体500の太股部から膝までの脚部を儲け、太股部にゴムを設けることなく、脚部下端の膝部にゴムを設けて気密構造とすることもある。
更に、腕部を省略し、本体500の肩部510に、その縁部にゴムを内設し、仮装者の肩にフィットするようにして、肩部510から内気が漏れないものとすることもできる。
【００３７】
このように、肩部510を設けることにより、仮装者の腕部を露出することができ、また、太股部530を設けることにより、仮装者の脚部を露出することができる。
これにより、仮装者の腕部と下体をより自由にすることができ、仮装者は、仮装しているにもかかわらず、その自由な移動を妨げられることが無く、且つ、腕部を自由自在に動かすことができる。
そして、衣装を膨らませることで愉快な外観を演出することができ、観察者を驚かせると共に、パーティーなどの場を盛り上げることを可能とする。
【図面の簡単な説明】
【００３８】
【図１】本考案に係る仮装用衣装の外観を示した図である。
【図２】本考案に係る仮装用衣装の使用状態を示した図である。
【図３】本考案に係る仮装用衣装のポンプを示した分解斜視図である。
【図４】本考案に係る仮装用衣装の首部を示した図である。
【図５】本考案に係る仮装用衣装の首部を閉じた状態を示した図である。
【図６】本考案に係る仮装用衣装の手首部を示した図である。
【図７】本考案に係る仮装用衣装の足首部を示した図である。
【図８】本考案に係る仮装用衣装の使用状態を示した正面図である。
【図９】本考案に係る仮装用衣装の帽子部と髭部を示した図である。
【図１０】本考案に係る仮装用衣装の他の例を示した側面図である。
【図１１】本考案に係る仮装用衣装の他の例を示した正面図である。
【符号の説明】
【００３９】
100    上体部
110    腕部
113    手首部
115    袖部
120    首部
123    ファスナー
125    面ファスナー
200    下体部
210    脚部
220    足首部
223    裾部
350    バッテリーボックス
353    スイッチ
300    エアポンプ
310    蓋部
313    吸気孔
320    止具
330    エアポンプ本体部
333    排気孔
335    ファン
400    帽子部
403    面ファスナー
410    髭部
413    面ファスナー
500    衣装本体
510    肩部
515    腕部
520    首部
530    太股部
【図１】
0003111958.tif 000003
【図２】
0003111958.tif 000004
【図３】
0003111958.tif 000005
【図４】
0003111958.tif 000006
【図５】
0003111958.tif 000007
【図６】
0003111958.tif 000008
【図７】
0003111958.tif 000009
【図８】
0003111958.tif 000010
【図９】
0003111958.tif 000011
【図１０】
0003111958.tif 000012
【図１１】
0003111958.tif 000013